(57)【要約】【課題】危険場所のような爆発性雰囲気が存在するような場所において、大音量を出すことが可能な耐圧防爆構造の防爆形スピーカシステムを提供する。【解決手段】この防爆形スピーカシステムは、音源となる振動部１１を有するスピーカユニット１０と、軸穴２４を有し、かつ、スピーカユニット１０を固定した状態に納置する防爆ケース２０と、軸穴２４を貫通する振動伝達軸３０と、振動伝達軸３０と防爆ケース２０の軸穴との間で防爆ケース２０の内外を遮断する隔絶部６０とを備えている。隔絶部６０は、振動伝達軸３０の振動の障害とならないベローによって、振動伝達軸３０の外端部と防爆ケース２０の軸穴２４の周囲との間に設けられる。【選択図】図１
2014131233.tif 000002
【特許請求の範囲】
【請求項１】
音源となる振動部を有するスピーカユニットと、軸穴を有し、かつ、前記スピーカユニットを固定した状態に納置する防爆ケースと、前記軸穴を貫通し、前記防爆ケース内で前記振動部に当接する部位を有する振動伝達軸と、前記振動伝達軸と防爆ケースの軸穴の内周面との間で防爆ケースの内外を遮断する隔絶部とを備えていることを特徴とする防爆形スピーカシステム。
【請求項２】
前記隔絶部は、振動伝達軸の振動の障害とならないベローによって、前記振動伝達軸の外端部と前記防爆ケースの軸穴の周囲との間に設けられていることを特徴とする請求項１に記載の防爆形スピーカシステム。
【請求項３】
前記隔絶部は、前記振動部で発生した振動が振動伝達軸内を伝播し、振動伝達軸の外端面で振動するように、前記振動伝達軸の外周面の外周面と前記軸穴の内周面とを密着状態に一体化したことを特徴とする請求項１に記載の防爆形スピーカシステム。
【請求項４】
前記防爆ケースの外部に配置される振動板を備え、該振動板の中心側が前記振動伝達軸の外端部に固定され、振動板の周辺側が弾性支持部材によって前記防爆ケースに間接又は直接に支持されていることを特徴とする請求項１ないし３のいずれか一項に記載の防爆形スピーカシステム。
【請求項５】
前記防爆ケースには、スピーカユニットに接続するケーブルを挿通するケーブル挿通孔が形成され、該ケーブル挿通孔に防爆性能を有しているケーブルグランドが装着されていることを特徴とする請求項１ないし４のいずれか一項に記載の防爆形スピーカシステム。
【請求項６】
前記振動伝達軸の中間部がホワイトメタルによって形成された軸受を貫通し、振動伝達軸と軸受との間に火炎逸走を防止できる防爆隙間が形成されていることを特徴とする請求項１ないし５のいずれか一項に記載の防爆形スピーカシステム。
【発明の詳細な説明】
【技術分野】
【０００１】
本発明は、爆発性雰囲気が存在する場所で使用される防爆形スピーカシステムに関する。
【背景技術】
【０００２】
可燃性物質を取り扱う工場や事業場において、大気中に放出・漏洩した可燃性ガス・蒸気と空気が混合して爆発の危険のある濃度に達するおそれのある危険場所は、「工場電機設備防爆指針」において、可燃性ガス、蒸気の放出、漏洩の頻度、爆発性雰囲気の存在時間によって、０種場所、１種場所、２種場所に分類されている。０種場所は、爆発性雰囲気が連続して存在するか、又は長時間持続して存在する場所とされている。また、１種場所は、爆発性雰囲気が正常状態で存在する場所とされている。また、２種場所は、爆発性雰囲気が正常状態で存在することはないが、その他の状態で存在しても短時間しか存在しない場所とされている。
【０００３】
このような危険場所の危険性の度合に応じて、防爆電気機器が選定される。例えば、耐圧防爆構造の規格に適合した電気機器は、０種場所で使用できないものの、１種場所や２種場所では使用することができる。耐圧防爆構造は、防爆性能を備えた容器の中に着火源となる電気機器を入れることにより、容器内部で爆発性ガスの爆発が生じても、容器の外部に爆発の影響が及ばない構造であり、容器が内部爆発の圧力に十分に耐える強度をもち、かつ、容器の接合面の隙間を通じて火炎が外部へ漏れない性能を有している。
【０００４】
さらに、耐圧防爆構造の電気機器は、対象とする爆発性ガスの危険度によって三段階に分類されている。すなわち、アンモニアのような爆発性ガスは爆発等級１とされ、エチレンのような爆発性ガスは爆発等級２とされ、水素のような爆発性ガスは爆発等級３とされ、その等級に応じて、容器についての火炎逸走限界値や最大安全隙間が規定されている。
【０００５】
そして、地震その他予想を超えた事故のように、発生の頻度が極めて少なくても、爆発性ガスの漏洩が大量で、電気設備の防爆対策の範囲を超える場合は、危険場所でなく、要注意場所とされている。この要注意場所での使用を可能にしたメガホンが特許文献１に記載されている。このメガホンは、ホーンマウスとアンプケースと電池カバーとを備えている。電池カバーは、電池の正極端子板に接触する正極端子板の後方に電池端子締付ネジを備え、この電池端子締付ネジが正極端子板とともに電池を負極端子板に押し付け又は後退させることで、電池が傾いたり振動したりしないようにする。
【先行技術文献】
【特許文献】
【０００６】
【特許文献１】特開平１０−７０７９２号公報
【発明の概要】
【発明が解決しようとする課題】
【０００７】
特許文献１に記載されたメガホンは、要注意場所で使用することができるものの、耐圧防爆構造や内圧防爆構造の規格に適合せず、危険場所では使用することができない。
【０００８】
危険場所での使用を可能にする耐圧防爆構造又は内圧防爆構造のスピーカシステムは、例えば、開口部を有する防爆ケースと、防爆ケースの開口部を塞ぐ焼結金属製のカバーとを備えたものとすることができる。スピーカユニットは、音源となるコーンが防爆ケースの開口部に対向するように防爆ケース内に収納される。しかし、このようなスピーカシステムは、スピーカユニットのコーンから出力される音声が焼結金属製のカバーによって遮られるため、大音量を出すことができない。
【０００９】
そこで、本発明は、危険場所のような爆発性雰囲気が存在するような場所において、大音量を出すことを可能にした耐圧防爆構造の防爆形スピーカシステムを提供することを課題とする。
【課題を解決するための手段】
【００１０】
本発明に係る防爆形スピーカシステムは、音源となる振動部を有するスピーカユニットと、軸穴を有し、かつ、前記スピーカユニットを固定した状態に納置する防爆ケースと、前記軸穴を貫通し、前記防爆ケース内で前記振動部に当接する部位を有する振動伝達軸と、前記振動伝達軸と防爆ケースの軸穴の内周面との間で防爆ケースの内外を遮断する隔絶部とを備えていることを特徴としている。
【００１１】
この防爆形スピーカシステムによれば、防爆ケース内に固定した状態に納置されたスピーカユニットの音源となる振動部と防爆ケースの軸穴を貫通した振動伝達軸とが防爆ケース内で当接し、振動伝達軸の外端部が防爆ケース外に突出することで、スピーカユニットの振動部での振動を防爆ケース外に音声として出力することができる。そして、振動伝達軸と防爆ケースの軸穴との間に備えられた隔絶部が防爆ケースの内外を遮断することにより、防爆ケース内のスピーカユニットなどが火元となって火炎などが発生したとしても、その火炎などが防爆ケース外に漏出しないようにすることができる。
【００１２】
ここで、本発明に係る防爆形スピーカシステムの一態様として、前記隔絶部は、振動伝達軸の振動の障害とならないベローによって、前記振動伝達軸の外端部と前記防爆ケースの軸穴の周囲との間に設けられている構成を採用することができる。
【００１３】
この防爆形スピーカシステムによれば、振動伝達軸と軸穴の周囲と間に設けられるベローによって隔絶部が構成されることにより、爆発等級１や爆発等級２の構造規格に適合する。そして、ベローは、振動伝達軸の軸方向の振動の障害とならないため、スピーカユニットの振動部の振動に追従して、振動伝達軸が振動する。
【００１４】
また、本発明に係る防爆形スピーカシステムの別態様として、前記隔絶部は、前記振動部で発生した振動が振動伝達軸内を伝播し、振動伝達軸の外端面で振動するように、前記振動伝達軸の外周面の外周面と前記軸穴の内周面とを密着状態に一体化した構成を採用することができる。
【００１５】
この防爆形スピーカシステムによれば、前記振動伝達軸の外周面と前記軸穴の内周面とを密着した状態に一体化することで隔絶部が構成されるため、爆発等級１の構造規格に適合する。そして、振動伝達軸は、軸穴を形成した部分の防爆ケースに拘束されるものの、振動伝達軸とスピーカユニットの振動部とが当接することにより、スピーカユニットの振動部の振動が振動伝達軸内を外端面まで音波のように伝播し、すなわち、振動伝達軸が音波の媒体となり、スピーカユニットの振動部の振動が防爆ケース外に出力される。
【００１６】
また、本発明に係る防爆形スピーカシステムの他態様として、前記防爆ケースの外部に配置される振動板を備え、該振動板の中心側が前記振動伝達軸の外端部に固定され、振動板の周辺側が弾性支持部材によって前記防爆ケースに間接又は直接に支持されている構成を採用することができる。
【００１７】
この防爆形スピーカシステムによれば、振動板の中心側が振動伝達軸の外端部に固定され、振動板の周辺側が弾性部材によって防爆ケースに間接又は直接に支持されることにより、スピーカユニットの振動部での振動が振動板に伝達又は伝播され、スピーカユニットの振動部で出力された音声が振動板で増幅された音声となって出力される。
【００１８】
また、本発明に係る防爆形スピーカシステムのさらに異なる他態様として、前記防爆ケースには、スピーカユニットに接続するケーブルを挿通するケーブル挿通孔が形成され、該ケーブル挿通孔に防爆性能を有しているケーブルグランドが装着されている構成を採用することができる。
【００１９】
この防爆形スピーカシステムによれば、スピーカユニットに接続するケーブルを挿通するケーブル挿通孔が防爆ケースに形成されても、防爆性能を有しているケーブルグランドがそのケーブル挿通孔に装着されることにより、耐圧防爆構造とすることができる。
【００２０】
また、本発明に係る防爆形スピーカシステムのさらに異なる他態様として、前記振動伝達軸の中間部がホワイトメタルによって形成された軸受を貫通し、振動伝達軸と軸受との間に火炎逸走を防止できる防爆隙間が形成されている構成を採用することができる。
【００２１】
この防爆形スピーカシステムによれば、振動伝達軸の中間部が軸受を貫通し、振動伝達軸と軸受との間に隙間が生じても、この隙間が火炎逸走を防止できる防爆隙間であるため、防爆機能が損なわれず、さらに、軸受がホワイトメタルによって形成されていることにより、軸受を貫通している振動伝達軸の滑りがよくなり、振動伝達軸が軸方向にスムーズに微小振動する。
【発明の効果】
【００２２】
本発明によれば、爆発危険雰囲気を生成するおそれのある危険場所において、大音量を出力することが可能な耐圧防爆構造の防爆形スピーカシステムを提供することができる。
【図面の簡単な説明】
【００２３】
【図１】本発明に防爆形スピーカシステムの第１実施形態を示す断面正面図である。
【図２】本発明に防爆形スピーカシステムの第１実施形態を示す要部拡大断面正面図である。
【図３】本発明に防爆形スピーカシステムの第２実施形態を示す断面正面図である。
【発明を実施するための形態】
【００２４】
本発明に係る防爆形スピーカシステムの第１実施形態について図１及び図２を参照しながら説明する。
【００２５】
この防爆形スピーカシステムは、音源となる振動部１１を有するスピーカユニット１０と、このスピーカユニット１０を固定した状態に納置する防爆ケース２０と、スピーカユニット１０の振動部１１の振動を防爆ケース２０外へ伝達する振動伝達軸３０とを備えている。
【００２６】
スピーカユニット１０は、開口部（採番せず）を有する有底筒状のハウジング１２と、開口部を塞ぎ、かつ、音源となる平板状の振動部１１を取り付けたバッフル１３と、ハウジング１２内に収納されて振動部１１を振動させる駆動ユニット（図示せず）と、駆動ユニットに電気信号を入力するためのケーブル端子（図示せず）とを備えている。
【００２７】
ケーブル端子は、ハウジング１２に設けられるが、ケーブル端子を省略し、スピーカケーブル（以下、「ケーブル」という。）５１を駆動ユニットに直接接続してもよい。いずれにしても、駆動ユニットは、ケーブル５１から入力した電気信号によって振動部１１を振動させる。
【００２８】
そして、防爆ケース２０は、アルミ鋳物製で、スピーカユニット１０よりも一回り大きく成型され、スピーカユニット１０の隣にアンプ５２も納置している。また、防爆ケース２０は、長方形状の開口部を設けた枡状のケース本体２１と、ケース本体２１の開口部を塞ぐ長方形状の蓋部２２とを備えている。
【００２９】
ケース本体２１の一部にケーブル挿通孔２１ａが設けられ、このケーブル挿通孔２１ａには、防爆性能を有しているケーブルグランド５３が装着されている。このケーブルグランド５３内を前記ケーブル５１とアンプ５２を駆動する電源ケーブル（図示せず）が挿通し、両ケーブルがアンプ５２に接続される。そして、アンプ５２とスピーカユニット１０とがケーブル５１によって接続され、ケーブル５１を流れた電気信号が前記スピーカユニット１０の駆動ユニットに入力される。
【００３０】
そして、ケーブル挿通孔２１ａを形成する部分のケース本体２１は、厚肉に形成され、他の部分は、薄肉とされ、部分的にリブ２１ｂが形成されている。ケース本体２１の開口側には、外向きのフランジ部２１ｃが設けられ、このフランジ部２１ｃに蓋部２２の外周部が重ね合わされる。また、ケース本体２１の開口部の例えば四隅には、雌ネジを形成した厚肉部２１ｄが設けられている。
【００３１】
そして、蓋部２２の四隅には、ボルト挿通穴（図示せず）が形成されている。このボルト挿通穴からケース本体２１の厚肉部２１ｄの雌ネジにボルト２３が締結される。また、蓋部２２の四隅には、ボルト２３の頭部を埋め込む凹陥部（座ぐり）が設けられ、厚肉とされているが、四隅以外は平板状とされている。
【００３２】
そして、蓋部２２の偏心した中央部には、貫通穴２２ａが設けられている。この貫通穴２２ａには、軸穴２４を形成した軸受座部２５が嵌め込まれている。この軸受座部２５は、防爆ケース２０を構成している。蓋部２２の貫通穴２２ａには雌ネジが形成され、軸受座部２５の外周には、雄ネジが形成され、この雌ネジと雄ネジとが螺合することで軸受座部２５が蓋部２２に固定されている。
【００３３】
また、軸受座部２５の内端部２５ａは拡径し、この内端部２５ａが蓋部２２の貫通穴２２ａの周囲に内面側から当接することで、軸受部材２５が蓋部２２の貫通穴２２ａから抜けないようにされている。
【００３４】
軸受座部２５の軸穴２４内には、内径を大きくした拡径部が設けられている。この拡径部には、ホワイトメタルによって形成された筒状の軸受２６が嵌め込まれている。軸受２６は、止輪２７によって軸穴２４から抜けないようにされている。
【００３５】
そして、軸受２６内をステンレス鋼製の振動伝達軸３０の中間部３１が密接した状態で貫通している。ただし、軸受２６と振動伝達軸３０との間には、火炎の逸走を防止することができる程度の極微小な防爆隙間が生じている。また、軸受２６がホワイトメタルによって形成されているため、振動伝達軸３０の中間部３１は、軸受２６内で滑りがよくなり、軸方向にスムーズに微小に振動する。
【００３６】
そして、この防爆形スピーカシステムは、振動伝達軸３０の中間部３１と軸穴２４との間の防爆隙間及び振動伝達軸３０の中間部３１と軸受２６との間の隙間を隔絶するための隔絶部６０を備えている。第１実施形態の隔絶部６０は、振動伝達軸３０の外端部３２と軸受座部２５の表面との間に跨るように取り付けられたベロー６１によって構成されている。
【００３７】
ベロー６１は、振動伝達軸３０の外端部３２に取り付けられる先端側において縮径している。このベロー６１の先端側６１ａに当接する部分の振動伝達軸３０には、溝（採番せず）が形成され、縮径したベロー６１の内端部６１ｂが嵌め込まれる。また、ベロー６１の基端側６１ｃは、拡径し、座盤のように外向きとされている。このベロー６１の基端部６１ｄは、固定部材６２によって軸受座部２５の表面に固定される。
【００３８】
このベロー６１は、軸方向に振動可能であり、振動伝達軸３０の軸方向の微小な振動の障害とならない。そして、このベロー６１による隔絶部６０は、振動伝達軸３０と軸受座部２５の軸穴２４との極微小な隙間を塞ぐため、爆発等級１や爆発等級２に適合した構造とすることができる。
【００３９】
そして、振動伝達軸３０の内端部３３は、防爆ケース２０内で拡径し、内端部３３の端面がスピーカユニット１０の振動部１１に当接する。スピーカユニット１０は、固定部材４０によって蓋部２２に固定される。スピーカユニット１０が固定されることで、振動部１１の振動を振動伝達軸３０の内端部３３の内端面に的確に伝達することができる。
【００４０】
固定部材４０は、第１実施形態ではスピーカユニット１０を載せる中間部４１と、この中間部４１の両側から直角同方向に延出して向き合う一対の折曲部４２と、各折曲部４２の先端縁から直角反対方向に延出したフランジ部４３とを備えたブラケットによって構成されている（以下、「固定部材」を「ブラケット」として説明する。）。図面においては、ブラケット４０の中間部４１と折曲部４２とは、上向きコ字状に成形されている。
【００４１】
そして、ブラケット４０のフランジ部４３が防爆ケース２０の蓋部２２に内面側からビス４４によって固定される。したがって、ブラケット４０のフランジ部４３には、小孔が形成され、蓋部２２の内面には、ビス４４が螺合する雌ネジが形成されている。
【００４２】
そして、前記軸受座部２５とスピーカユニット１０のバッフル１３との間に円筒状の制振部材４５が介在している。この制振部材４５がスピーカユニット１０をブラケット４０の中間部４１に押し付け、スピーカユニット１０のハウジング１２が振動することなく、振動部１１での振動が的確に振動伝達軸３０に伝達されるようにする。
【００４３】
また、振動伝達軸３０の外端部３２が防爆ケース２０の外側に突出している。この振動伝達軸３０の外端部３２に四角形状、楕円形状又は円形状の振動板７０が固定されている。したがって、スピーカユニット１０の振動部１１が振動することで、振動伝達軸３０が軸方向に振動し、その振動が振動板７０に伝達されることによって、振動板７０から増幅された音声が出力される。
【００４４】
なお、振動伝達軸３０の外端部３２の端面には、ネジ孔３３が形成され、振動板７０の中心側に小孔が形成され、振動板７０の外側から小孔を貫通するネジ３４が前記ネジ孔３３に螺合することで、振動板７０が振動伝達軸３０に固定される。ただし、振動板７０に振動伝達軸３０の外径と同じ内径の貫通穴を形成し、振動伝達軸３０をこの貫通穴に挿入して、溶接などによって固定してもよい。
【００４５】
そして、蓋部２２の外面には、拡張部材８０が固定されている。拡張部材８０は、例えば、４本などの複数本（２本でもよい。）の扁平棒状部材であり、基端部が蓋部２２の外面にビス８１によって固定され、先端部が蓋部２２の外周縁から突出している。ただし、拡張部材８０は、蓋部２２の外周縁から突出する環状の板部材によって構成してもよい。いずれにしても、拡張部材８０の先端部が前記振動板７０の外周部と対向している。
【００４６】
また、拡張部材８０の先端部と振動板７０の外周部とには、小孔（採番せず）が対向するように形成されている。この両小孔には、支持軸９０が貫通し、固定されている。第１実施形態の支持軸９０は、拡張部材８０と振動板７０との間隔よりも長いボルト９１と、このボルト９１に締結されるナット９２とによって構成される（以下、「支持軸９０」を「ボルト９１」「ナット９２」として説明する。）。ナット９２は、拡張部材８０の振動板７０と対向しない面に当接する。したがって、ボルト９１の頭部が振動板７０から離間している。
【００４７】
そして、拡張部材８０の先端部と振動板７０の周辺側との間に弾性支持部材９３が介在し、振動板７０が弾性支持部材９３を介して、拡張部材８０に支持される。弾性支持部材９３としては、例えば、ステンレス鋼製の圧縮コイルバネが使用される（以下、「弾性支持部材９３」を「コイルバネ９３」として説明する。）。コイルバネ９３がボルト９１の軸部を外嵌することで、コイルバネ９３が長さ方向に伸縮するものの、撓まないようにされている。
【００４８】
そして、コイルバネ９３は、拡張部材８０と振動板７０との間に挟まれる状態となる。また、ボルト９１の頭部が振動板７０から離間しているため、ボルト９１の頭部と振動板７０との間にもコイルバネ９３が介在している。このようにして、振動板７０は、両面からコイルバネ９３に挟まれ、拡張部材８０にフレキシブルに保持された状態となる。そして、ボルト９１の締付け具合によって、振動伝達軸３０が軸方向に移動し、振動伝達軸３０の内端部３３がスピーカユニット１０の振動部１１に的確に当接するように調整する。
【００４９】
以上のように構成された防爆形スピーカシステムは、爆発等級１や爆発等級２に適合し、爆発性雰囲気を生成するおそれのある危険場所に設置される。この設置された防爆形スピーカシステムと遠隔の指令所とは、ケーブル５１によって接続されている。指令所には、マイクなどが設置されており、マイクなどに入力された音声が電気信号としてケーブル５１から防爆形スピーカシステム内のアンプ５２に入力される。
【００５０】
そして、アンプ５２に接続されたケーブル５１からスピーカユニット１０の駆動ユニットに増幅された電気信号が入力されると、スピーカユニット１０の振動部１１が振動し、振動伝達軸３０が軸方向に振動することで、振動板７０が振動する。
【００５１】
振動板７０は、スピーカユニット１０の振動部１１よりも大きいため、大音量が出力される。また、振動伝達軸３０がホワイトメタルによって形成された軸受２６内を貫通することで、スピーカユニット１０の振動部１１の振動が正確に振動板７０に伝達される。また、振動板７０の周辺側がコイルバネ９３を介して拡張部材８０にフレキシブルに支持されているため、振動板７０はスピーカユニット１０の振動部１１に追従して振動し、入力された音声信号どおり音声が出力される。
【００５２】
そして、この防爆形スピーカシステムは、防爆ケース２０外から防爆ケース２０内に引火ガスが流入し、防爆ケース２０内で爆発性ガスの爆発が起こった場合に、防爆ケース２０がその圧力に耐え、しかも、爆発によって発生する火炎が防爆ケース２０外に漏出しないため、危険場所において安全に使用することができる。また、この防爆形スピーカシステムは、ベロー６１による隔絶部６０によって、防水機能を有している。
【００５３】
次に、本発明に係る防爆形スピーカシステムの第２実施形態について図３を参照しながら説明する。
【００５４】
第２実施形態の防爆形スピーカシステムは、防爆等級３に適合した構成とするため、隔絶部６０が第１実施形態と異なり、前記振動伝達軸３０の外周面の外周面と前記軸穴２４の内周面とを密着した状態に一体化している。
【００５５】
具体的には、第２実施形態では、第１実施形態における軸受座部２５が備えられず、蓋部２２に軸穴２４が形成されている。この軸穴２４に振動伝達軸３０が挿入され、振動伝達軸３０と蓋部２２とが一体化されている。蓋部２２として、第１実施形態と同じ蓋部２２を使用する場合は、振動伝達軸３０の中間部は、第１実施形態の振動伝達軸３０よりも太くされている。また、振動伝達軸３０の先端部は、振動板７０が固定されるため、第１実施形態の振動伝達軸３０と同じ太さに縮径されている。
【００５６】
ただし、振動伝達軸３０は、第１実施形態と同じ太さとし、蓋部２２の軸穴２４を小さくしてもよい。いずれにしても、振動伝達軸３０の内端部３３は拡径し、スピーカユニット１０の振動部１１に当接するとともに、蓋部２２の内面に当接することで抜けないようにされている。
【００５７】
そして、隔絶部６０は、例えば、振動伝達軸３０の外周面に形成された雄ネジと蓋部２２の軸穴２４に形成された雌ネジとによって構成されている。あるいは、隔絶部６０は、振動伝達軸３０と蓋部２２の軸穴２４の内壁とを接着剤や溶接によって密着した状態に一体化してもよい。このような隔絶部６０によって、火炎逸走限界値や最大安全隙間を爆発等級３に適合させることができる。
【００５８】
ただし、振動伝達軸３０はステンレス鋼製とし、蓋部２２はアルミ鋳物製とするなど、振動伝達軸３０と蓋部２２とを異なる金属とする。こうすることにより、スピーカユニット１０の振動部１１で発生した音波が振動伝達軸３０内を内端部３３から外端部３２に伝達され、蓋部２２に伝達されないようにすることができる。すなわち、第２実施形態の振動伝達軸３０は、第１実施形態の振動伝達軸３０のように軸方向に振動しない。
【００５９】
そして、第２実施形態の防爆形スピーカシステムにおいても、第１実施形態の防爆形スピーカシステムと同じスピーカユニット１０、ブラケット４０、拡張部材８０、振動板７０などを備えている。ただし、第２実施形態の防爆形スピーカシステムは、第１実施形態と異なり、スピーカユニット１０とブラケット４０の中間部４１との間に制振部材４５が介在し、この制振部材４５がスピーカユニット１０の振動部１１を振動伝達軸３０の内端部３３に押し付けている。
【００６０】
そして、この防爆形スピーカシステムは、防爆等級１が要求される危険場所に設置される。そして、指令所内のマイクに入力された音声が電気信号としてケーブル５１から防爆形スピーカシステム内のアンプ５２に入力される。
【００６１】
そして、アンプ５２に接続されたケーブル５１からスピーカユニット１０の駆動ユニットに電気信号が入力されると、スピーカユニット１０の振動部１１が振動し、その振動が振動伝達軸３０内を内端部３３から外端部３２へ伝播されることで、すなわち、振動伝達軸３０が音波の媒体のようになって、振動板７０が振動する。また、振動伝達軸３０の材質と蓋部２２の材質とが異なっているため、スピーカユニット１０の振動が蓋部２２へ伝達されず、蓋部２２は振動しない。そして、振動板７０は、スピーカユニット１０の振動部１１よりも大きいため、大音量を出力する。
【００６２】
また、第２実施形態の防爆形スピーカシステムは、隔絶部６０が振動伝達軸３０の外周面の外周面と前記軸穴２４の内周面とを密着した状態に一体化することによって構成されているため、爆発等級３に適合し、防爆ケース２０内で爆発性ガスの爆発が起こった場合に、防爆ケース２０がその圧力に耐え、爆発によって発生する火炎が防爆ケース２０外に漏出しないだけでなく、ガスも防爆ケース２０外に漏出しないため、水素が存在する危険場所にいおいて安全に使用することができる。
【００６３】
なお、本発明は、前記実施の形態に限定することなく種々変更することができる。例えば、振動板７０は、防爆形スピーカシステムに備えたものとせず、部屋の壁や天井、デスクやテーブルの天板部などを振動板７０として使用してもよい。
【００６４】
また、スピーカユニット１０は、ブラケット４０によって防爆ケース２０の蓋部２２に固定するのではなく、ブラケット４０によってケース本体２１に固定してもよい。この場合、蓋部２２には貫通穴２２ａ又は軸穴２４が形成されず、ケース本体２１に貫通穴又は軸穴が形成される。また、固定部材４０は、ブラケット４０でなく、接着剤や両面接着テープなどであってもよいし、防爆ケース２０がスピーカユニット１０を嵌め込む凹部や凸部を備えるようにしてもよい。
【００６５】
また、防爆形スピーカシステムは、拡張部材８０を備えず、防爆ケース２０に弾性支持部材９３を固定し、この弾性支持部材９３に振動板７０を固定してもよい。
【００６６】
また、弾性支持部材９３は、コイルバネ９３でなく、ゴムによって構成してもよい。例えば、軸状のゴムを使用することによって、支持軸９０を省略することができる。あるいは、拡張部材８０を蓋部２２の外周部で突出させた環状凸部とし、振動板７０を環状凸部よりも一回り小さくし、環状凸部と振動板７０の外周部とに環状のゴム板を介在させることで、弾性支持部材９３を構成してもよい。
【００６７】
また、前記実施形態では、防爆ケース２０内にアンプ５２を収納したが、アンプ５２を指令所に設置し、防爆ケース２０内に収納しないようにしてもよい。この場合の防爆ケース２０は、アンプ５２を収納する防爆ケース２０よりもコンパクト化を図ることができる。
【００６８】
また、前記実施形態では、振動伝達軸３０の内端部３３が防爆ケース２０内でスピーカユニット１０の振動部１１と当接したが、振動伝達軸３０の両端部が防爆ケース２０から突出するように貫通し、振動伝達軸３０の中間部がスピーカユニット２０の振動部１１と当接するようにしてもよい。
【００６９】
また、振動板７０を備えた防爆形スピーカシステムは、開口部を備えた化粧ケース内にセットしてもよい。この防爆形スピーカシステムは、当然ながら、振動板７０が化粧ケースの開口部から露出するように化粧ケース内にセットされる。
【００７０】
また、前記０場所などの危険場所や爆発等級１などは、法改正などによって分類が変更されたとしても、本防爆形スピーカは、改正法に対応できる構成となっている。
【符号の説明】
【００７１】
１０………スピーカユニット
１１………振動部
２０………防爆ケース
２１………ケース本体
２１ａ……ケーブル挿通孔
２２………蓋部
２４………軸穴
２５………軸受座部
２６………軸受
３０………振動伝達軸
３１………（振動伝達軸の）中間部
３２………（振動伝達軸の）外端部
３３………（振動伝達軸の）内端部
４０………固定部材（ブラケット）
５１………ケーブル
５３………ケーブルグランド
６０………隔絶部
６１………ベロー
７０………振動板
８０………拡張部材
９３………弾性支持部材
【図１】
2014131233.tif 000003
【図２】
2014131233.tif 000004
【図３】
2014131233.tif 000005